(57)【要約】【課題】レーザ光の発光の際の発光パワーを精度よく制御することができる光ディスク装置及びレーザ出力制御方法を提供する。【解決手段】所定の電流値のレーザ駆動電流を出力するレーザ駆動電流出力手段と、レーザ駆動電流に基づいてレーザ光を発光させるレーザ発光手段（Ｓ１０７）と、発光されたレーザ光の発光パワーを取得する発光パワー取得手段（Ｓ１０９）と、出力されたレーザ駆動電流の電流値を取得するレーザ駆動電流取得手段（Ｓ１１１）と、発光パワー及びレーザ駆動電流の電流値の関係を示す特性曲線を作成する特性曲線作成手段（Ｓ１１７）と、特性曲線に基づいて発光パワーからレーザ駆動電流の設定値を算出する発光パワー算出手段と、を備えた。【選択図】  図２
2008192192.tif 000002
【特許請求の範囲】
【請求項１】
所定の電流値のレーザ駆動電流を出力するレーザ駆動電流出力手段と、
前記レーザ駆動電流出力手段により出力されたレーザ駆動電流に基づいてレーザ光を発光させるレーザ発光手段と、
前記レーザ発光手段により発光されたレーザ光の発光パワーを取得する発光パワー取得手段と、
前記レーザ駆動電流出力手段により出力されたレーザ駆動電流の電流値を取得するレーザ駆動電流取得手段と、
前記発光パワー取得手段により取得された発光パワー、及び前記レーザ駆動電流取得手段により取得されたレーザ駆動電流の電流値の関係を示す特性曲線を作成する特性曲線作成手段と、
前記特性曲線作成手段により作成された特性曲線に基づいて発光させたい発光パワーからレーザ駆動電流の設定値を算出する設定電流算出手段と、
を備えたことを特徴とする光ディスク装置。
【請求項２】
前記レーザ発光手段により発光されたレーザ光がパルスレーザである場合、発光パワー取得手段は、発光パワーの最小値を取得する請求項１記載の光ディスク装置。
【請求項３】
光ディスク装置に光ディスクが設置されている場合に、レーザ光の焦点を前記光ディスクから外す請求項１記載の光ディスク装置。
【請求項４】
所定のレーザ駆動電流を出力するレーザ駆動電流出力ステップと、
前記レーザ駆動電流出力ステップにて出力されたレーザ駆動電流に基づいてレーザ光を発光させるレーザ発光ステップと、
前記レーザ発光ステップにて発光されたレーザ光の発光パワーを取得する発光パワー取得ステップと、
前記レーザ駆動電流出力ステップにて出力されたレーザ駆動電流のレーザ駆動電流の電流値を取得するレーザ駆動電流取得ステップと、
前記発光パワー取得ステップにて取得された発光パワー、及び前記レーザ駆動電流取得ステップにて取得されたレーザ駆動電流の電流値の関係を示す特性曲線を作成する特性曲線作成手段と、
前記特性曲線作成ステップにて作成された特性曲線に基づいて発光させたい発光パワーからレーザ駆動電流の設置値を算出する設定電流算出ステップと、
を行うことを特徴とするレーザ出力制御方法。
【発明の詳細な説明】
【技術分野】
【０００１】
本発明は、レーザ駆動電流と発光パワーとの関係を示す特性曲線を用いてレーザ光の出力制御を行う光ディスク装置及びレーザ出力制御方法に関する。
【背景技術】
【０００２】
従来、光ディスク装置において記録処理を行っている最中に、レーザドライバの出力設定用のＤＡＣ値と、このＤＡＣ値に基づいてレーザ発光を行った際の発光パワーとの関係を示すＩ／Ｌ特性を取得して、このＩ／Ｌ特性に基づいて電流設定量を調整することで、記録パワーの制御を行っている（特許文献１参照）。
【特許文献１】特開２００５−２５９３２２号公報
【発明の開示】
【発明が解決しようとする課題】
【０００３】
この記録処理中にＩ／Ｌ特性を取得する方法は、レーザ発光波形から光パルスの平均値等を利用しＩ／Ｌ特性を算出するものであり、記録処理前にＩ／Ｌ特性を算出することができないという問題がある。記録処理を行う際に、書き出しから、必要とされる正確な発光パワーを制御するためには、記録処理前にＩ／Ｌ特性を取得することが望ましい。
【０００４】
また、記録処理中にＩ／Ｌ特性を取得する方法では、幅広い出力パワー領域におけるＩ／Ｌ特性が取得できないという問題があった。
【０００５】
さらに、記録処理中にＩ／Ｌ特性を取得する方法では、電流供給用のＤＡＣから出力されるレーザ駆動電流が温度特性により変動した際において、この電流供給用のＤＡＣを校正することができず、精度よく発光パワーを制御できなくなってしまうという問題があった。
【０００６】
本発明は、上記課題を鑑みなされたものであり、レーザ光を発光する際の発光パワーを精度よく制御することが可能な光ディスク装置及びレーザ出力制御方法を提供することを目的とする。
【課題を解決するための手段】
【０００７】
上記課題を解決するために、本発明に係る光ディスク装置は、所定の電流値のレーザ駆動電流を出力するレーザ駆動電流出力手段と、前記レーザ駆動電流出力手段により出力されたレーザ駆動電流に基づいてレーザ光を発光させるレーザ発光手段と、前記レーザ発光手段により発光されたレーザ光の発光パワーを取得する発光パワー取得手段と、前記レーザ駆動電流出力手段により出力されたレーザ駆動電流の電流値を取得するレーザ駆動電流取得手段と、前記発光パワー取得手段により取得された発光パワー、及び前記レーザ駆動電流取得手段により取得されたレーザ駆動電流の電流値の関係を示す特性曲線を作成する特性曲線作成手段と、前記特性曲線作成手段により作成された特性曲線に基づいて発光させたい発光パワーからレーザ駆動電流の設置値を算出する発光パワー算出手段と、を備えたことを特徴とする。
【０００８】
また、本発明に係るレーザ出力制御方法は、所定の電流値のレーザ駆動電流を出力するレーザ駆動電流出力ステップと、前記レーザ駆動電流出力ステップにて出力されたレーザ駆動電流に基づいてレーザ光を発光させるレーザ発光ステップと、前記レーザ発光ステップにて発光されたレーザ光の発光パワーを取得する発光パワー取得ステップと、前記レーザ駆動電流出力ステップにて出力されたレーザ駆動電流のレーザ駆動電流の電流値を取得するレーザ駆動電流取得ステップと、前記発光パワー取得ステップにて取得された発光パワー、及び前記レーザ駆動電流取得ステップにて取得されたレーザ駆動電流の電流値の関係を示す特性曲線を作成する特性曲線作成手段と、前記特性曲線作成ステップにて作成された特性曲線に基づいて発光させたい発光パワーからレーザ駆動電流の設定値を算出する発光パワー算出ステップと、を行うことを特徴とする。
【発明の効果】
【０００９】
本発明によると、レーザ光を発光する際の発光パワーを精度よく制御することが可能な光ディスク装置及びレーザ出力制御方法を提供することが可能となる。
【発明を実施するための最良の形態】
【００１０】
本発明に係る光ディスク装置及びレーザ出力制御方法の実施形態について、添付図面を参照しながら説明する。
【００１１】
光ディスク装置１は、光ディスク３３に対して情報の記録処理及び再生処理を行う。光ディスク３３は、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＨＤ−ＤＶＤ（Ｈｉｇｈ−Ｄｅｆｉｎｉｔｉｏｎ  Ｄｉｇｉｔａｌ  Ｖｅｒｓａｔｉｌｅ  Ｄｉｓｃ）等の円盤状の記録媒体であり、同心円状または螺旋状に溝が刻まれている層を有する。この溝の凹部はランド、凸部はグルーブと呼ばれ、グループまたはランドの一周はトラックと呼ばれている。
【００１２】
ユーザデータは、このトラックに沿って、グルーブのみ、またはグルーブとランドの双方に、強度変調されたレーザ光が照射されて記録マークが形成されることにより、光ディスク３３上に記録される。また、この光ディスク３３に記録された記録データは、記録時より弱いリードパワー(Ｒｅａｄ  Ｐｏｗｅｒ)のレーザ光をトラックに沿って照射し、トラック上にある記録マークによる反射光強度の変化を検出することにより再生される。さらに、光ディスク３３に記録された記録データは、リードパワーより強いイレースパワー(Ｅｒａｓｅ  Ｐｏｗｅｒ)のレーザ光をトラックに沿って照射し、記録層を結晶化することにより、光ディスク３３から消去される。
【００１３】
光ディスク装置１において、光ディスク３３は、スピンドルモータ２によって回転駆動される。この際、スピンドルモータ２に付設されたロータリエンコーダ２ａからスピンドルモータ制御回路３に回転角信号が出力される。例えば、スピンドルモータ２が１回転すると、回転角信号として５パルス発生される。これにより、スピンドルモータ制御回路３は、ロータリエンコーダ２ａから出力された回転角信号を入力し、この信号に基づいて、スピンドルモータ２の回転角度および回転数を判定する。
【００１４】
光ディスク３３に対する情報の記録処理または再生処理は、光ヘッド４によって行われる。光ヘッド４は、ギア１７およびスクリューシャフト１８を介して送りモータ１９と連結されており、この送りモータ１９は送りモータ制御回路２０により制御される。光ヘッド４は、送りモータ１９が送りモータ制御回路２０から供給された送りモータ駆動電流によって回転することで、光ディスク３３の半径方向に移動する。
【００１５】
光ヘッド４には、ワイヤあるいは板バネ（図示せず）によって支持された対物レンズ５が備えられている。対物レンズ５は、駆動コイル７の駆動によりフォーカシング方向（レンズの光軸方向）に移動するとともに、駆動コイル６の駆動によりトラッキング方向（レンズの光軸と直交する方向）に移動する。
【００１６】
レーザ駆動回路１６は、情報記録時（マーク形成時）に、ホスト装置３４からインタフェース回路３２を介して供給される記録データに基づいて、レーザダイオード８に対してレーザ光を発光させるためのＬＤ駆動電流を出力する。
【００１７】
フロントモニタ・フォトダイオード９は、ハーフミラー１０から受け取った反射光の光量すなわち照射パワーに比例した受光信号を、レーザ駆動回路１６に供給する。この際、ハーフミラー１０は、レーザダイオード８が発生するレーザ光の一部を分岐し、フロントモニタ・フォトダイオード９に供給している。レーザ駆動回路１６はフロントモニタ・フォトダイオード９から供給された受光信号を取得し、この受光信号に基づいて、ＣＰＵ２７により予め設定された再生時のレーザパワー（照射パワー）、記録時のレーザパワー、および消去時のレーザパワーで発光するようにレーザダイオード８を制御する。
【００１８】
レーザダイオード８は、レーザ駆動回路１６から供給されるＬＤ駆動電流によりレーザ光を発光する。レーザダイオード８から発光されるレーザ光は、コリメータレンズ１１、ハーフプリズム１２、および対物レンズ５を介して光ディスク３３上に照射される。光ディスク３３からの反射光は、対物レンズ５、ハーフプリズム１２、集光レンズ１３、およびシリンドリカルレンズ１４を介して、光検知器１５に導かれる。
【００１９】
Ｃｕｒｒｅｎｔ−ＡＤＣ（Ａ／Ｄコンバータ）４０は、レーザ駆動回路１６がレーザダイオード８に対してＬＤ駆動電流を出力した際に、レーザ駆動回路１６から同様の電流を入力し、デジタル信号に変換する。Ｃｕｒｒｅｎｔ−ＡＤＣ４０は、この変換されたデジタル信号をＣｕｒｒｅｎｔ−ＡＤＣ信号として、バス２６を介してＲＡＭ２８またはＲＯＭ２９に対して出力する。
【００２０】
光検知器１５は、例えば４分割の光検知セルからなり、検知信号を生成し、生成された検知信号をＲＦアンプ２１に出力する。ＲＦアンプ２１は、光検知器１５からの検知信号を処理し、ジャストフォーカスからの誤差を示すフォーカスエラー信号（ＦＥ）、レーザ光のビームスポット中心とトラック中心との誤差を示すトラッキングエラー信号（ＴＥ）、および検知信号の全加算信号である再生信号（ＲＦ）を生成し、生成されたフォーカスエラー信号、トラッキングエラー信号、及び再生信号をそれぞれフォーカス制御回路２２、トラック制御回路２３、及びデータ再生回路２５に供給する。
【００２１】
フォーカス制御回路２２は、ＲＦアンプ２１から供給されたフォーカスエラー信号に応じてフォーカス駆動信号を生成し、生成されたフォーカス駆動信号をフォーカシング方向の駆動コイル６に供給する。これにより、レーザ光が光ディスク３３の記録膜上に常時ジャストフォーカスとなるフォーカスサーボが行われる。
【００２２】
トラック制御回路２３は、ＲＦアンプ２１から供給されたトラッキングエラー信号に応じてトラック駆動信号を生成し、生成されたトラック駆動信号をトラッキング方向の駆動コイル７に供給する。これにより、レーザ光が光ディスク３３上に形成されたトラック上を常にトレースするトラッキングサーボが行われる。
【００２３】
このようなフォーカスサーボ及びトラッキングサーボがなされることで、光検知器１５（各光検知セル）からの検知信号の全加算信号である再生信号には、記録情報に対応して光ディスク３３のトラック上に形成されたピットなどからの反射光の変化が反映される。この再生信号は、データ再生回路２５に供給される。データ再生回路２５は、ＰＬＬ（Ｐｈａｓｅ  Ｌｏｃｋｅｄ  Ｌｏｏｐ）回路２４からの再生用クロック信号に基づき、記録データを再生する。
【００２４】
なお、トラック制御回路２３によって対物レンズ５が制御されているとき、送りモータ１９は、送りモータ制御回路２０により、対物レンズ５が光ヘッド４内の所定の場所に位置するように制御される。
【００２５】
Ｓ／Ｈ（サンプルホールド）回路４１は、フロントモニタ・フォトダイオード９から検知信号を取得して、この検知信号を一定にホールド（保持）した後、ＡＤＣ（Ａ／Ｄコンバータ）４３に出力する。Ｐ／Ｈ（ピークホールド）回路４２は、フロントモニタ・フォトダイオード９から出力された検知信号のうちの最小値（あるいは最大値）を、一定にホールドした後、このホールドされた検知信号の最小値（あるいは最大値）をＡＤＣ４３に出力する。ＡＤＣ４３は、Ｓ／Ｈ回路４１またはＰ／Ｈ回路４２から入力した検知信号をデジタル変換し、バス２６を介してＲＡＭ２８またはＲＯＭ２９に対して出力する。
【００２６】
スピンドルモータ制御回路３、レーザ駆動回路１６、送りモータ制御回路２０、フォーカス制御回路２２、トラック制御回路２３、ＰＬＬ回路２４、データ再生回路２５、エラー訂正回路３１などは、バス２６を介してＣＰＵ（Ｃｅｎｔｒａｌ  Ｐｒｏｃｅｓｓｉｎｇ  Ｕｎｉｔ）２７によって制御される。ＣＰＵ２７は、インタフェース回路３２を介してホスト装置３４から極給される動作コマンドに従い、ＲＯＭ（Ｒｅａｄ  Ｏｎｌｙ  Ｍｅｍｏｒｙ）２９に記憶されているアプリケーションプログラムからＲＡＭ（Ｒａｎｄｏｍ  Ａｃｃｅｓｓ  Ｍｅｍｏｒｙ）２８にロードされた各種のアプリケーションプログラムに従って各種の処理を実行するとともに、種々の制御信号を生成し、各部に供給することにより、光ディスク装置１を統括的に制御する。また、ＣＰＵ２７は、不揮発メモリＮＶ−ＲＡＭ３０に記憶された光ディスク装置１に依存したパラメータなどを適宜参照する。
【００２７】
また、図１に示されるように、レーザ駆動回路１６に１つのレーザダイオード８が接続されているが、光ディスク装置１がＣＤ・ＤＶＤ・ＨＤ ＤＶＤなど複数の記録媒体に対応して記録再生を行う場合には、レーザ駆動回路１６に複数のレーザダイオード８が取り付けられても良い。この場合にであっても、一度に発光するレーザダイオード８は１つであるため、レーザ駆動回路１６は動作させるレーザダイオード８に対してのみ、ＬＤ駆動電流を出力する。
【００２８】
ここで、光ディスク装置１は、記録処理や再生処理等を行う前に、発光パワーに対する実際のレーザ駆動電流の電流量との関係を求めておく。そして、光ディスク装置１は、記録処理や再生処理等を行う際に、この関係に基づいて、出力されるＬＤ駆動電流値（レーザ駆動電流）を調整する。
【００２９】
光ディスク装置１が、この発光パワーとレーザ駆動電流の電流量との関係を示すＩ／Ｌ曲線（Ｉｎｊｅｃｔｉｏｎ  Ｃｕｒｒｅｎｔ−Ｌｉｇｈｔ  Ｏｕｔｐｕｔ）を作成する処理であるＩ／Ｌ曲線作成処理について、図２に示すフローチャートに基づいて説明する。以下、「ステップＳ１０１」を「Ｓ１０１」のように、「ステップ」を省略して説明する。
【００３０】
始めに、光ディスク装置１のＣＰＵ２７は、光ディスク装置１に光ディスク３３が設置されているか否かを判断する（Ｓ１０１）。光ディスクが設置されている場合（Ｓ１０１のＹｅｓ）は、ＣＰＵ２７は、フォーカスサーボをＯＦＦにする（Ｓ１０３）。すなわち、ＣＰＵ１０は、フォーカス回路制御２２に対して、光ディスク３３上においてレーザ光の焦点を合わせないように指示を出す。これは、光ディスク３３に記録された記録データを壊さないための処置である。
【００３１】
ＣＰＵ２７は、レーザ駆動回路１６において出力されるＬＤ駆動電流の電流量を設定する（Ｓ１０５）。そして、ＣＰＵ２７は、レーザ駆動回路１６に対して、Ｓ１０５で設定された電流量の基づいたＬＤ駆動電流を出力させ、レーザダイオード８を発光させる（Ｓ１０７）。
【００３２】
この際の発光モードは、ＤＣモードであってもパルスモードであっても良い。ＤＣモードを用いた際には、図３に示すように、一定の発光パワーでの発光を、発光パワーを変更しながら（例えば設定パワーＡ、Ｂ、…、Ｎ）行う。また、パルスモードを用いた際には、図４に示すように、パルスの発光パワーの最小値（または最大値）を変更しながら（例えば設定パワーＡ、Ｂ、…、Ｎ）、発光を行う。ただし、高い発光パワーでＤＣモードのレーザ発光を行う場合、レーザ破壊を起こす恐れがあるため、パルスモードで行う方が好ましい。
【００３３】
なお、Ｓ１０５において、ＬＤ駆動電流の電流量は、図３または図４で示されている設定パワーのうちの一つが設定される。また、設定されている設定パワーの個数（例えばＮ）が、ループ回数の設定回数となる。
【００３４】
ＣＰＵ２７は、ＡＤＣ４３からフロントモニタ・フォトダイオード９により増幅されたＡＤＣ値を取得する（Ｓ１０９）。この際、ＤＣモードで発光を行った場合は、Ｓ／Ｈ回路４１からＡＤＣ４３に入力した検知信号を取得し、パルスモードで発光を行った場合は、Ｓ／Ｈ回路４１及びＰ／Ｈ回路４２からＡＤＣ４３に入力した検知信号を取得する。
【００３５】
また、ＣＰＵ２７は、Ｃｕｒｒｅｎｔ−ＡＤＣ４０からレーザ駆動回路１６により出力された駆動Ｃｕｒｒｅｎｔ−ＡＤＣ値を取得する（Ｓ１１１）。
【００３６】
ＣＰＵ２７は、Ｓ１０９で取得したＡＤＣ値と、Ｓ１１１で取得したＣｕｒｒｅｎｔ−ＡＤＣ値とを、それぞれ関連付けてＲＡＭ２８またはＲＯＭ２９に記憶する（Ｓ１１３）。
【００３７】
例えば、パルスモードで発光を行った場合は、
(Ｃｕｒｒｅｎｔ−ＡＤＣ値〔１〕、Ｐ／Ｈ−ＡＤＣ値〔１〕×α)
(Ｃｕｒｒｅｎｔ−ＡＤＣ値〔２〕、Ｐ／Ｈ−ＡＤＣ値〔２〕×α)
(Ｃｕｒｒｅｎｔ−ＡＤＣ値〔３〕、Ｐ／Ｈ−ＡＤＣ値〔３〕×α)
…
(Ｃｕｒｒｅｎｔ−ＡＤＣ値〔Ｎ〕、Ｐ／Ｈ−ＡＤＣ値〔Ｎ〕×α)
ＤＣモードで発光を行った場合は、
(Ｃｕｒｒｅｎｔ−ＡＤＣ値〔１〕、Ｓ／Ｈ−ＡＤＣ値〔１〕×α)
(Ｃｕｒｒｅｎｔ−ＡＤＣ値〔２〕、Ｓ／Ｈ−ＡＤＣ値〔２〕×α)
(Ｃｕｒｒｅｎｔ−ＡＤＣ値〔３〕、Ｓ／Ｈ−ＡＤＣ値〔３〕×α)
…
(Ｃｕｒｒｅｎｔ−ＡＤＣ値〔Ｎ〕、Ｓ／Ｈ−ＡＤＣ値〔Ｎ〕×α)
のように記憶される。
【００３８】
なお、Ｖ／Ｖ変換後にＳ／Ｈ回路４２、Ｐ／Ｈ回路４３から出力された値を発光パワーに換算するために、Ｖ／Ｖ変換と発光パワーに対する変換係数α(Ｗ／Ｖ)が、予めＲＯＭ２９に保存されている。
【００３９】
ＣＰＵ２７は、Ｓ１０５からＳ１１３までの処理が、ループ回数Ｎとして設定されている設定回数分だけ行われたか否かを判断する（Ｓ１１５）。ループ回数が設定回数に達していない場合（Ｓ１１５のＮｏ）は、Ｓ１０５に戻って、ＣＰＵ２７は、レーザ駆動回路１６において出力されるＬＤ駆動電流の電流量を設定する。このようにＣＰＵ２７は、Ｓ１０５からＳ１１３までの処理を、全ての設定されている設定パワーに対して、順次行う。
【００４０】
ループ回数が設定回数に達した場合（Ｓ１１５のＹｅｓ）は、ＣＰＵ２７は、Ｓ１１３で記録されたＡＤＣ値及びＣｕｒｒｅｎｔ−ＡＤＣ値に基づいて、Ｉ／Ｌ曲線を作成する（Ｓ１１７）。Ｉ／Ｌ曲線は、図５に示すように、横軸をＳ１１１で取得したＣｕｒｒｅｎｔ−ＡＤＣ値とし、縦軸をＳ１０９で取得したＡＤＣ値より算出された発光パワー（ｍＷ）として、発光パワーとＣｕｒｒｅｎｔ−ＡＤＣ値とが対応付けられた位置をプロットし、これらのプロットを曲線に近似することにより得られる。
【００４１】
このようにして、光ディスク装置１においてＩ／Ｌ曲線作成処理が行われる。
【００４２】
次に、ＣＰＵ２７は、発光させたいパワーを決定し既に求めたＩ／Ｌ曲線（Ｓ１１７）から発光させたい発光パワーに必要なレーザ駆動回路１６への設定電流値を算出して設定する。
【００４３】
光ディスク装置１において作成されたＩ／Ｌ曲線に基づいて、所定の発光パワーを出力するために必要な電流値を算出する設定電流値算出処理について、図６に示すフローチャートに基づいて説明する。
【００４４】
始めに、ＣＰＵ２７は、発光させたい発光パワーが指定されたか否かを判断する（Ｓ２０１）。発光パワーが指定された場合（Ｓ２０１のＹｅｓ）は、ＣＰＵ２７は、この指定された発光パワーを取得する（Ｓ２０３）。
【００４５】
ここで、ＣＰＵ２７は、Ｓ１１７で作成されたＩ／Ｌ曲線の傾きとオフセット、及び、Ｓ２０３で取得した発光パワーを用いて、以下の式（１）からレーザ駆動回路１６に設定する設定電流値を算出する。  
［数１］
発光パワーＰ（ｍＷ）  ＝
Ｉ／Ｌ傾き（ｍＷ／ｍＡ）×レーザ駆動電流の電流値（ｍＡ）
＋Ｉ／Ｌオフセット（ｍＷ）    …（１）
【００４６】
まず、ＣＰＵ２７は、図７に示すように、Ｉ／Ｌ曲線において、指定された発光パワーが含まれる所定の発光パワーレンジにおける傾きを、最小二乗法等により取得する（Ｓ２０５）。また、ＣＰＵ２７は、Ｉ／Ｌ曲線において、指定された発光パワーが含まれる所定の発光パワーレンジにおけるオフセットを取得する（Ｓ２０７）。すなわち、ＣＰＵ２７は、オフセットとして、Ｓ２０５にて最小二乗法等を用いて作成された近似直線の、縦軸との切片の値を取得する。
【００４７】
ＣＰＵ２７は、Ｓ２０３で取得した発光パワーとＳ２０５で取得した傾きとＳ２０７で取得したオフセットとを式（１）に代入し、レーザ駆動電流の電流値を算出する（Ｓ２０９）。
【００４８】
ＣＰＵ２７は、Ｓ２０９にて算出された電流値を設定電流値としてレーザ駆動回路１６に設定する（Ｓ２１１）。これにより、光ディスク装置１において正確な発光パワーを出力することが可能となる。
【００４９】
Ｉ／Ｌ特性は、図５に示すように、出力パワーで特性が変化するということが一般的に知られている。そのため、出力したい発光パワーレンジによってＩ／Ｌ特性を取得するための設定パワーを変更し、使用する範囲のＩ／Ｌ特性を追いかける又は、低パワー領域、高パワー領域といったように領域を分断しそれぞれの発光パワー領域におけるＩ／Ｌ特性を同時に取得・計算して、ＲＡ２８またはＲＯＭ２９に記憶しておくことで、ＣＡＶ記録（角速度一定記録）におけるＲａｎｄａｍ記録の際に、発光パワー精度を上げることが可能となる。
【００５０】
また、記録処理や再生処理を行っている最中に限らず、記録処理や再生処理を行う前においてもＩ／Ｌ特性を示す特性曲線を作成することにより、幅広い出力パワー領域において、Ｉ／Ｌ特性を取得することが可能である。
【００５１】
本発明に係る光ディスク装置１及びレーザ出力制御方法によると、レーザ駆動電流設定〔ｉ〕とＣｕｒｒｅｎｔ−ＡＤＣ値〔ｉ〕からレーザ駆動回路１６がレーザダイオード８に対してレーザ発光を行わせるためのレーザ駆動電流の校正が可能となる。すなわち、レーザ駆動回路１６を校正する回路において、温度特性により供給電流に変化を伴うことが起こり得る。そのため、Ｃｕｒｒｅｎｔ−ＡＤＣ値を随時モニターし、変動量に応じ再度Ｉ／Ｌ特性の取得により、Ｉ／Ｌ特性が更新されるとともに、レーザ駆動回路１６の再校正がされることになり、レーザ光の発光パワーの精度を上げることが可能となる。
【００５２】
本発明に係る光ディスク装置１及びレーザ出力制御方法によると、レーザ駆動回路１６から出力されるレーザ駆動電流を取得するＣｕｒｒｅｎｔ−ＡＤＣ４０を用いて、レーザ駆動電流の実際の電流値を取得するとともに、フロントモニタ・フォトダイオード９にて検知された検知信号を取得するＳ／Ｈ回路４１、Ｐ／Ｈ回路４２、ＡＤＣ４３を用いて、発光パワーを取得して、レーザ駆動電流の電流値と発光パワーとの関係を示す特性曲線を予め求めておくことで、レーザ光の発光の際の発光パワーを精度よく制御することが可能となった。
【００５３】
なお、ステップＳ１０７の処理がレーザ発光手段であり、ステップＳ１０９の処理が発光パワー取得手段であり、ステップＳ１１１の処理がレーザ駆動電流取得手段であり、Ｓ１１７の処理が特性曲線作成手段である。また、ステップＳ２０９、Ｓ２１１の処理が設定電流算出手段である。
【００５４】
本発明の実施形態において説明した一連の処理は、ソフトウェアにより実行させることもできるが、ハードウェアにより実行させることもできる。
【００５５】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００５６】
【図１】本発明に係る光ディスク装置の構成図。
【図２】本発明に係る光ディスク装置がＩ／Ｌ曲線作成処理を行う際の手順を示すフローチャート。
【図３】ＤＣモードのレーザ出力を示す図。
【図４】パルスモードのレーザ出力を示す図。
【図５】本発明に係る光ディスク装置のＩ／Ｌ曲線作成処理により作成されたＩ／Ｌ曲線を示す図。
【図６】本発明に係る光ディスク装置が発光パワー算出処理を行う際の手順を示すフローチャート。
【図７】本発明に係る光ディスク装置による設定電流値算出処理を説明するための図。
【符号の説明】
【００５７】
１…光ディスク装置、２…スピンドルモータ、２ａ…ロータリエンコーダ、３…スピンドルモータ制御回路、４…光ヘッド、５…対物レンズ、６…駆動コイル、７…駆動コイル、８…レーザダイオード、９…フロントモニタ・フォトダイオード、１０…ハーフミラー、１１…コリメータレンズ、１２…ハーフプリズム、１３…集光レンズ、１４…シリンドリカルレンズ、１５…光検出器、１６…レーザ駆動回路、１７…ギア、１８…スクリューシャフト、１９…送りモータ、２０…送りモータ制御回路、２１…ＲＦアンプ、２２…フォーカス制御回路、２３…トラック制御回路、２４…ＰＬＬ制御回路、２５…データ再生装置、２６…信号バス、２７…ＣＰＵ、２８…ＲＡＭ、２９…ＲＯＭ、３０…ＮＶ―ＲＡＭ、３１…エラー訂正回路、３２…インタフェース回路、３３…光ディスク、３４…ホスト装置、４０…Ｃｕｒｒｅｎｔ−ＡＤＣ、４１…Ｓ／Ｈ回路、４２…Ｐ／Ｈ回路、４３…ＡＤＣ。
【図１】
2008192192.tif 000003
【図２】
2008192192.tif 000004
【図３】
2008192192.tif 000005
【図４】
2008192192.tif 000006
【図５】
2008192192.tif 000007
【図６】
2008192192.tif 000008
【図７】
2008192192.tif 000009